(57)【要約】【課題】本発明は、信頼性の高い表示装置及び移動体を提供する。【解決手段】観視者の像を撮像する撮像部と、前記撮像された像に基づいて映像情報を含む光束の出射位置を電気的に切り換えて、前記光束を出射する投映部と、前記光束を制御し、前記特定の部位の位置に前記光束を入射させる光束制御部と、を備えたことを特徴とする表示装置が提供される。【選択図】図１
2010072254.tif 000002
【特許請求の範囲】
【請求項１】
観視者の像を撮像する撮像部と、
前記撮像された像に基づいて映像情報を含む光束の出射位置を電気的に切り換えて、前記光束を出射する投映部と、
前記光束を制御し、前記特定の部位の位置に前記光束を入射させる光束制御部と、
を備えたことを特徴とする表示装置。
【請求項２】
前記投映部から出射される前記光束の光路上に設けられ、平面上に複数配設されたレンズを有する領域制御部をさらに備え、
前記光束制御部は、凹面鏡を有し、
前記領域制御部と、前記凹面鏡と、が協働して前記特定の部位の位置に前記光束を入射させること、を特徴とする請求項１記載の表示装置。
【請求項３】
前記投映部は、前記複数のレンズ毎に光束を出射すること、を特徴とする請求項２記載の表示装置。
【請求項４】
前記撮像部は、前記光束の光軸の延長上において前記像を撮像すること、を特徴とする請求項１〜３のいずれか１つに記載の表示装置。
【請求項５】
前記撮像部は、前記像を赤外光により撮像すること、を特徴とする請求項１〜４のいずれか１つに記載の表示装置。
【請求項６】
前記光束は、前記観視者の片目のみに入射されること、を特徴とする請求項１〜５のいずれか１つに記載の表示装置。
【請求項７】
請求項１〜６のいずれか１つに記載の表示装置と、
前記表示装置により映像情報が投映される投映板と、
を備えたことを特徴とする移動体。
【発明の詳細な説明】
【技術分野】
【０００１】
本発明は、表示装置及び移動体に関する。
【背景技術】
【０００２】
表示装置においては、表示輝度の向上や、消費電力の低減、寿命の改善などが必要とされている。例えば、車両や航空機等の移動体のフロントガラスに各種の情報を表示し、外部の背景視野の画像と合わせて当該映像情報を操縦者に観視させる、いわゆるヘッドアップディスプレイ（ＨＵＤ： Head-Up Display）においても、昼間の明るい周囲環境に対して表示輝度が低いことが問題となる。
【０００３】
この場合、表示領域を目の部分のみに限定するようにすれば、表示輝度の向上、消費電力の低減、光源の長寿命化を図ることができる。しかしながら、表示領域を目の部分のみに限定する場合には、観視者の目の位置に適正に光束が入射することが必要となる。特に、表示領域を片目だけの狭い範囲とする場合には、表示領域と片目との位置合わせが重要となる。
【０００４】
ここで、発光表示器の表示像を移動させるための表示像移動手段と、反射手段を移動させるための移動手段とを備える車載用ヘッドアップディスプレイ装置が提案されている（特許文献１を参照）。    
特許文献１に開示された技術によれば、アイポイントが視野領域内で移動したときに移動したアイポイントにおいて表示を視認できるように、表示位置を調整することができる。しかしながら、表示位置を調整するために機械的な移動手段を必要とするため、表示装置の信頼性が低下するおそれがあった。特に、自動車などの移動体に表示装置を搭載する場合には、表示装置に振動が加わるため機械的な移動手段の故障率が高くなり、表示装置の信頼性が損なわれるおそれがあった。
【特許文献１】特開２００３−３９９８１号公報
【発明の開示】
【発明が解決しようとする課題】
【０００５】
本発明は、信頼性の高い表示装置及び移動体を提供する。
【課題を解決するための手段】
【０００６】
本発明の一態様によれば、観視者の像を撮像する撮像部と、前記撮像された像に基づいて映像情報を含む光束の出射位置を電気的に切り換えて、前記光束を出射する投映部と、前記光束を制御し、前記特定の部位の位置に前記光束を入射させる光束制御部と、を備えたことを特徴とする表示装置が提供される。
【０００７】
また、本発明の他の一態様によれば、上記の表示装置と、前記表示装置により映像情報が投映される投映板と、を備えたことを特徴とする移動体が提供される。
【発明の効果】
【０００８】
本発明によれば、信頼性の高い表示装置及び移動体が提供される。
【発明を実施するための最良の形態】
【０００９】
以下、図面を参照しつつ、本発明の実施の形態について例示をする。なお、各図面中、同様の構成要素には同一の符号を付して詳細な説明は適宜省略する。
【００１０】
図１は、第１の実施形態に係る表示装置を例示するための模式図である。  
図１に示すように、本実施の形態に係る表示装置１０は、光束生成部１１０、光束制御部１２０、画像検出部１３０を備えている。なお、光束生成部１１０において生成される光束１１２には映像情報が含まれている。また、光束生成部１１０において生成された光束１１２は、投映板２１０を経て、観視者１００の頭部１０４に到達するようになっている。
【００１１】
光束生成部１１０は、投映部１１３、投映部１１３の光束が出射する側と対向させて設けられた領域制御部１１４を備えている。
【００１２】
投映部１１３は、後述するように、撮像部１５０により撮像された像１０１に基づいて映像情報を含む光束１１２の出射位置を電気的に切り換えて、光束１１２を出射する。すなわち、撮像部１５０により撮像された像１０１に基づいて電気的な切換を行うことで、所定の領域毎に光束１１２を出射できるようになっている。また、投映部１１３は、運行情報などの各種映像情報を光学像として投映させる。
投映部１１３としては、例えば、液晶プロジェクタやデジタル・ライト・プロセッシング（ＤＬＰ）プロジェクタなどを例示することができる。液晶プロジェクタは、液晶パネルと光源などを備えている。そして、光源からの光束を液晶パネルを透過させることで、映像情報を光学像として投映する。また、デジタル・ライト・プロセッシングプロジェクタは、デジタル・マイクロ・デバイス（ＤＭＤ）と光源とを備えている。そして、シリコン基板上に設けられた独立して動く微細なミラーで光源からの光束を反射させることで、映像情報を光学像として投映する。ただし、投映部１１３は、例示をしたものに限定されるわけではなく、電気信号を光学画像に変換可能なものを適宜選択することができる。
【００１３】
領域制御部１１４は、投映部１１３から領域制御部１１４の所定の領域に向けて出射された光束の方向を制御して、所定の表示領域に向かうようにする。領域制御部１１４としては、例えば、小型のレンズを平面上に複数配設したようなものを例示することができる。また、小型のレンズを平面上に複数配設したようなものの場合には、各レンズに対して複数の光束が入射できるようなレンズの大きさ、配置とされている。例えば、投映部１１３が液晶プロジェクタである場合には、液晶パネルの複数の画素にまたがるようなレンズの大きさ、配置とされている。
ここで、投映部１１３がデジタル・ライト・プロセッシング（ＤＬＰ）プロジェクタなどのように反射型デバイス（例えば、デジタル・マイクロ・デバイスなど）を用いる場合には、投映部１１３と領域制御部１１４とを密着させると反射型デバイスへの入射光束もレンズの作用を受けてしまうおそれがある。そのような場合には、投映部１１３と領域制御部１１４との間に反射型デバイスからの光束を結像させる図示しない結像部を設けるようにすればよい。
また、小型のレンズを平面上に複数配設したものとしては、レンチキュラーシートやアレイレンズなどを例示することができる。  
レンチキュラーシートは、断面が円筒形状を呈しており、光束の一軸方向の方向制御に用いることができる。また、アレイレンズは、断面が球面形状を呈しており、光束の二軸方向の方向制御に用いることができる。この場合、レンチキュラーシートを二枚重ね合わせることでアレイレンズと同様の光学的な作用を生じさせることもできる。
【００１４】
光束制御部１２０は、第１のミラー１２２、第２のミラー１２４、レンズ１２６を備えている。光束制御部１２０は、光束１１２を制御し、観視者１００の特定の部位の位置（特に目１０５の位置）に光束１１２を入射させるためのものである。    
第１のミラー１２２は、入射する光束の一部を反射し、一部を透過させるようになっている。なお、可視光を反射し、赤外光を透過させるようになっていてもよい。  
第２のミラー１２４は、凹面鏡となっている。そのため、平行に入射した光束を集光させることができる。    
レンズ１２６は、第２のミラー１２４からの反射光を集光させる。レンズ１２６は必ずしも必要ではなく、必要に応じて適宜設けるようにすればよい。
【００１５】
また、設置時やメンテナンス時などに投映部１１３、領域制御部１１４、第１のミラー１２２、第２のミラー１２４、レンズ１２６の位置を個々に調整することができるようになっている。この場合、これらの位置調整を行うための図示しない移動手段を設けることもできる。しかしながら、例えば、自動車などの移動体に表示装置１０を搭載する場合には、振動により移動手段が故障するおそれがある。そのため、本実施の形態においては、これらを図示しないネジなどの締結手段で固定することができるようになっている。そして、設置時やメンテナンス時などにおいては、図示しない締結手段を緩めて各要素の位置を調整することで、表示領域１１２ａの位置やピントを調整することができるようになっている。この場合、例えば、第２のミラー１２４の角度等を変化させることで、表示領域１１２ａの左右上下方向の位置調整を行うことができる。また、投映部１１３と領域制御部１１４との位置を、光束１１２の軸方向に変化させることで、光束１１２のピント調整を行うことができる。
【００１６】
画像検出部１３０は、撮像部１５０、調整レンズ１５１、画像処理部１６０を備えている。      
撮像部１５０は、投映板２１０、レンズ１２６、第２のミラー１２４、第１のミラー１２２を介して観視者１００の像１０１を撮像する。撮像部１５０としては、ＣＣＤ（Charge Coupled Device)カメラやＣＭＯＳ（Complementary Metal Oxide Semiconductor）センサーなどを例示することができる。ただし、これらに限定されるわけではなく、映像情報を電気信号に変換可能なものを適宜選択することができる。また、第１のミラー１２２として、可視光を反射し赤外光を透過させるミラーを用いるようにすることが好ましい。そのようにすれば、赤外光によって観視者１００の像１０１を撮像することができるので、像中の不要なノイズを低減させることができる。
【００１７】
調整レンズ１５１は、撮像部１５０と第１のミラー１２２との間に設けられている。調整レンズ１５１は、第１のミラー１２２から出射した光束を集光させることで像の大きさとピントとを調整する。なお、調整レンズ１５１は必ずしも必要ではなく、必要に応じて適宜設けるようにすればよい。      
画像処理部１６０は、画像処理を行うことで撮像部１５０により撮像された観視者１００の特定の部位の位置を解析する。例えば、観視者１００の顔面の特徴点として、両眼眼球位置、鼻位置、口の位置等を特定し、これにより、観視者１００の頭部、特に目の位置を解析するようにすることができる。画像処理を行うことで、観視者１００の特定の部位の位置（特に目１０５の位置）を知ることができる。
【００１８】
また、投映部１１３、画像処理部１６０は、表示領域制御部１４０と電気的に接続されている。      
表示領域制御部１４０は、画像処理部１６０において解析された観視者１００の特定の部位の位置（特に目１０５の位置）に基づいて、投映部１１３から光束を出射させる。そして、観視者１００の特定の部位の位置（特に目１０５の位置）に光束が入射されるように投映部１１３から領域制御部１１４の所定の領域に向けて光束１１２を出射させる。
この際、領域制御部１１４の所定の領域に向けて光束１１２を出射させるために、光束１１２の出射位置が電気的に切り換えられる。例えば、投映部１１３が液晶プロジェクタの場合には液晶パネル部分において電気的な切換が行われる。また、投映部１１３がデジタル・ライト・プロセッシング（ＤＬＰ）プロジェクタの場合にはデジタル・マイクロ・デバイス（ＤＭＤ）部分において電気的な切換が行われる。
【００１９】
また、表示領域制御部１４０に図示しない画像表示部を電気的に接続することもできる。そして、図示しない画像表示部の表示画面上に、例えば、表示領域１１２ａの中心を表すクロスバー等を表示させることもできる。そのようにすれば、観視者１００の特定の部位の位置（例えば、片方の目１０５の位置）と表示領域１１２ａの位置との位置合わせを容易に行うことができるようになる。
【００２０】
投映板２１０は、光束を反射可能な部材とすることができる。例えば、自動車などの移動体のフロントガラス（ウインドシールド）とすることができる。この場合、フロントガラスの一部に図示しない高反射部を設け、その部分で光束１１２が反射されるようにすることもできる。なお、高反射部として反射面が凹曲面となっているシート状のフレネルレンズを用いることができる。そのようなフレネルレンズを用いるものとすれば、フレネルレンズが光束１１２を反射させる凹面鏡となるので、投映板２１０の曲率などの影響を抑制することができる。
また、表示装置１０を自動車などの移動体に搭載し、フロントガラス（ウインドシールド）を投映板２１０とすることでヘッドアップディスプレイ（ＨＵＤ： Head-Up Display）を構成することができる。
【００２１】
次に、本実施の形態に係る表示装置１０の作用について例示をする。      
図２〜図７は、表示装置の作用について例示をするための模式図である。なお、図２〜図７に示すものは、主に、前述した領域制御部１１４と第２のミラー１２４の作用を例示するものである。また、投映部１１３の光束１１２が出射する側と対向させて設けられた領域制御部１１４は、小型のレンズ１１４ａを平面上に複数配設したものとしている。この場合、例えば、領域制御部１１４をレンチキュラーシートやアレイレンズなどとすることができる。また、光束制御部１２０に設けられた第２のミラー１２４は、凹面鏡としている。この場合、領域制御部１１４と、第２のミラー１２４（凹面鏡）と、が協働して観視者１００の特定の部位の位置（特に目１０５の位置）に光束１１２を入射させることになる。
【００２２】
まず、図２に示すように、表示領域制御部１４０からの電気信号に基づいて、投映部１１３から領域制御部１１４の所定の領域に向けて光束１１２が出射される。この際、投映部１１３は、出射位置を電気的に切り換えて複数のレンズ１１４ａ毎に光束１１２を出射する。また、投映部１１３の作用により各レンズ１１４ａに向かう光束１１２が略平行となるように、光束１１２が出射される。例えば、投映部１１３が液晶プロジェクタの場合には、内蔵された液晶パネルにより部分的に光束１１２を透過させることで各レンズ１１４ａ毎に光束１１２が出射されるようにする。投映部１１３がデジタル・ライト・プロセッシングプロジェクタの場合には、デジタル・マイクロ・デバイスにより部分的に光束を反射させることで各レンズ１１４ａ毎に光束１１２が出射されるようにする。また、各レンズ１１４ａ毎に出射される光束１１２には映像情報が含まれている。また、図中に記載された（１）〜（３）は、光束の入射領域を表している。すなわち、図２に例示をするものの場合には、表示領域制御部１４０からの電気信号に基づいて、投映部１１３から（１）に表す領域に向けて光束１１２が出射される。
【００２３】
次に、図３に示すように、領域制御部１１４に入射した光束１１２は、領域制御部１１４を透過する。この際、レンズ１１４ａの作用により光束１１２は一旦集光され、その後に第２のミラー１２４の反射面１２４ａに入射する。この場合、反射面１２４ａに入射する光束１１２も略平行となる。なお、図示は省略しているが、領域制御部１１４から出射した光束は第１のミラー１２２により方向を変えられて第２のミラー１２４の反射面１２４ａに入射する（図１を参照）。
【００２４】
次に、図４に示すように、第２のミラー１２４の反射面１２４ａに入射した光束１１２は、凹面鏡である第２のミラー１２４の作用により集光される。そして、この集光された位置の近傍が表示領域１１２ａとなるようになっている。また、表示領域１１２ａの位置と観視者１００の片方の目１０５の位置とが合うように予め設定されている。そのため、観視者１００が表示を観視することができるようになる。なお、図示は省略しているが、第２のミラー１２４から出射した光束は、レンズ１２６、投映板２１０を介して表示領域１１２ａに至るようになっている（図１を参照）。
【００２５】
図５に示すように、投映部１１３から（１）に表す領域に向けて光束１１２が出射された場合には、虚像面１７０の所定の位置に虚像が見えることになる。
【００２６】
図６に示すように、観視者１００の片方の目１０５の位置が移動した場合には、表示領域制御部１４０からの電気信号に基づいて、領域制御部１１４における入射領域を移動させる。例えば、図６に例示をするものの場合には、出射位置を電気的に切り換えることで投映部１１３から（２）に表す領域に向けて光束１１２が出射され、（２）に表す領域に光束１１２が入射するようにする。なお、図中の矢印は、観視者１００（目１０５）の移動方向を表している。この場合、虚像面１７０において虚像が見える位置も移動することになる。なお、観視者１００の目１０５の位置は、前述した画像検出部１３０により解析される。この場合、観視者１００の像１０１は、投映板２１０、レンズ１２６、第２のミラー１２４、第１のミラー１２２、調整レンズ１５１を介して撮像部１５０により撮像される（図１を参照）。撮像部１５０により撮像された画像のデータは、画像処理部１６０により画像処理される。そして、画像処理を行うことで得られた解析データに基づいて、投映部１１３から出射される光束１１２の位置が変更されることになる。
【００２７】
図７に示すように、観視者１００の片方の目１０５の位置がさらに移動した場合には、表示領域制御部１４０からの電気信号に基づいて、領域制御部１１４における入射領域をさらに移動させる。例えば、図７に例示をするものの場合には、出射位置を電気的に切り換えることで投映部１１３から（３）に表す領域に向けて光束１１２が出射され、（３）に表す領域に光束１１２が入射するようにする。なお、図中の矢印は、観視者１００（目１０５）の移動方向を表している。この場合、虚像面１７０において虚像が見える位置も移動することになる。なお、観視者１００の目１０５の位置は、前述した画像検出部１３０により解析される。そして、この解析データに基づいて、投映部１１３から出射される光束１１２の位置が変更されることになる。
【００２８】
なお、レンズ１１４ａの形状、大きさ、数、配置などや、レンズ１１４ａに関する入射領域の数、位置などは例示をしたものに限定されるわけではなく適宜変更することができる。    
また、投映部１１３として例示をしたプロジェクタの他にも各種のものを使用することができる。例えば、レーザやＬＥＤ（Light Emitting Diode)、ハロゲンランプなどの各種の光源と、光源で生成された光束を走査する可動ミラーやＭＥＭＳ等の光学素子を組み合わせたものを用いることができる。また、各種の光源とＬＣＤ（Liquid Crystal Display）等の光スイッチを組み合わせるようにしてもよい。また、ＣＲＴ（Cathode Ray Tube）や蛍光表示管（ＶＦＤ： Vacuum Fluorescent Display）、ＰＤＰ（Plasma Display Panel）、ＥＬ(Electro Luminescence）表示装置、有機ＥＬ表示装置等の各種の方式のディスプレイを用いるようにしてもよい。
【００２９】
また、光束制御部１２０にも各種の光学要素を用いることができる。例えば、光束を反射・屈折・半透過させる、平板ミラー、プリズム、フレネルレンズ等を用いるようにしてもよい。また、光束の発散角を制御する、レンズとアパーチャとの組み合わせ、レンチキュラーシート、ホログラフィックディフューザ、拡散スクリーン、マイクロレンズアレイ、グレーテッドインデクス型マイクロレンズ、各種のプリズムシート、ルーバーシート、切頭三角錐状の導波管を複数配列させたもの等を用いるようにしてもよい。そして、上記の各種光学要素を適宜組み合わせて用いることもできる。
【００３０】
なお、光束生成部１１０と光束制御部１２０とを構成する光学要素の一部が兼用されていてもよい。また、光束生成部１１０と光束制御部１２０とを構成する光学要素が光束１１２の光軸上で混在して配置されていてもよい。すなわち、これら光学要素は、技術的に可能な範囲で兼用・置換・削除が可能である。
【００３１】
ここで、表示領域１１２ａの位置を目の部分に限定するようにすれば、表示輝度の向上、消費電力の低減、光源の長寿命化を図ることができる。しかしながら、表示領域１１２ａの位置を目の部分のみに限定する場合には、観視者１００の目１０５の位置に適正に光束１１２が入射することが必要となる特に、表示領域１１２ａの位置を片目だけの狭い範囲とする場合には、表示領域１１２ａと片目との位置がずれると表示を観視できなくなるおそれがある。
【００３２】
本実施の形態によれば、画像処理部１６０により観視者１００の特定の部位の位置（特に目１０５の位置）を解析し、その位置に合わせて光束を入射させることができる。この場合、位置合わせのための動作が頻繁に行われる光束生成部１１０に位置合わせ用の機械的な移動手段などを設けていないので、振動が加わるような場合であっても表示装置の信頼性が低下するおそれが少ない。また、例えば、自動車などの移動体の操縦席に表示装置１０を設けるような場合には、観視者１００（操縦者）の背の高さなどに合わせて目１０５の位置に適正に光束１１２が入射するようにすることができる。また、観視者１００が頭部を上下左右に動かしたような場合でも、光束１１２の入射位置（表示領域１１２ａの位置）をそれらの動きに追随させることができる。その結果、表示を観視させ続けることが可能となる。
なお、特許文献１に開示がされた技術のように、機械的な移動手段を用いて表示領域１１２ａの位置を観視者１００の動きに追随させるようにすれば、その機構や制御が複雑になるおそれがある。例えば、観視者１００の動きに二次元的に（上下左右に）追随させるためには、二軸制御を行うことが必要となる。そのため、機械的な移動手段の構造やその制御が複雑になるおそれがある。
これに対し、本実施の形態によれば、撮像部１５０により撮像された像１０１に基づいて映像情報を含む光束１１２の出射位置を電気的に切り換えて、光束１１２を投映部１１３から出射するようにしている。そのため、観視者１００の動きに二次元的に（上下左右に）追随させる場合であっても、構造や制御が複雑になるおそれがない。
また、表示領域１１２ａの位置を目１０５の部分に限定することができるので、高輝度で視認性の良い表示を実現することができる。また、消費電力の低減、光源の長寿命化を図ることができる。なお、観視者１００の片方の目１０５のみに光束１１２を入射するような場合には大きな効果を発揮することができる。
【００３３】
図８は、第２の実施形態に係る表示装置を例示するための模式図である。  
図８に示すように、表示装置２０には観視者１００を照射する赤外ＬＥＤ（Light Emitting Diode)１９０がさらに設けられている。そのため、夜間のように暗い状況においても、観視者１００の像１０１を安定的に撮像することができる。
【００３４】
これにより、表示装置２０は、暗い状況においても安定して観視者１００の特定の部位の位置（特に目１０５の位置）を解析することができる。そして、観視者１００の特定の部位の位置（特に目１０５の位置）に合わせて安定的に光束を入射させることができる。この表示装置２０は、夜間も使用されるヘッドアップディスプレイ（ＨＵＤ： Head-Up Display）に用いることが好ましい。なお、観視者１００を照射する光源は、赤外ＬＥＤ（Light Emitting Diode)以外でもよく、各種のランプなどを用いることができる。
【００３５】
図９は、第３の実施形態に係る表示装置を例示するための模式図である。  
図９に示すように、表示装置３０は、光束生成部１１０ａを備えている。また、光束生成部１１０ａには、投映部としてバックライトを備えた液晶表示装置１１５が設けられている。また、液晶表示装置１１５の表示面側（光束が出射する側）と対向させて領域制御部１１４が設けられている。このような構成にすれば、表示装置３０の小型化を図ることができる。
【００３６】
図１０は、第４の実施形態に係る表示装置を例示するための模式図である。  
図１０に示すように、表示装置４０は、光束制御部１２０ａを備えている。また、光束制御部１２０ａには、入射する光束の一部を反射し、一部を透過させることができる第２のミラー１２４ｂが設けられている。そして、第２のミラー１２４ｂの背面側には撮像部１５０が設けられている。そのため、撮像部１５０は、第２のミラー１２４ｂを透過して得られた観視者１００の像１０１を撮像できるようになっている。
【００３７】
この場合、第２のミラー１２４ｂは、可視光を反射し赤外光を透過させることができるものであることが好ましい。また、撮像部１５０は、赤外光によって観視者１００の像１０１を撮像することができるものであることが好ましい。この様な構成にすれば、像中の不要なノイズを低減させることができる。
【００３８】
なお、前述した各実施形態においては、撮像部１５０を第１のミラー１２２や第２のミラー１２４ｂの背面側に設ける場合を例示したが、光束１１２の光軸の延長上において像１０１を撮像できる位置に撮像部１５０を設ければよい。また、例えば、観視者１００を直接撮像することができる位置に撮像部１５０を設けてもよい。
【００３９】
また、前述した各実施形態に係る表示装置を、例えば、ヘッドアップディスプレイ（ＨＵＤ： Head-Up Display）のように観視の姿勢がほぼ固定されている状態で使用する場合には、表示領域１１２ａの形状を縦長形状（略鉛直方向に長い形状）とすることもできる。そのようにすれば、目１０５の位置と表示領域１１２ａの位置との位置合わせを水平方向のみで行うことができるようになる。そのため、表示領域１１２ａの位置制御が容易となり、使い易いだけでなく、低コスト化を図ることができるようになる。
【００４０】
また、前述した各実施形態に係る表示装置において例示をした投映板２１０を、自動車などの移動体に設けられるフロントガラス（ウインドシールド）などとすることができる。投映板２１０をフロントガラスなどとした場合には、フロントガラスなどの外部の背景視野の画像と合わせてフロントガラスなどに各種の映像情報（例えば、運行情報など）を表示させることができる。そのため、操縦者が視線を大きく動かすことなく映像情報を視認することができるようになる。
【００４１】
次に、本実施の形態に係る移動体について例示をする。        
図１１は、本実施の形態に係る移動体を例示するための模式図である。  
図１１に示すように、例えば、自動車、列車、船舶、ヘリコプター、飛行機など各種の移動体５１０の、例えば窓を、投映板２１０とすることができる。すなわち、本実施の形態に係る表示装置と、その表示装置により各種の映像情報（例えば、運行情報など）が投映される投映板２１０と、を有する移動体を構成することができる。    
本実施の形態によれば、画像処理部１６０により観視者１００の目の位置を解析し、その位置に合わせて光束を入射させることができる。この場合、位置合わせのための動作が頻繁に行われる光束生成部１１０に位置合わせ用の移動手段などを設けていないので、振動が加えられても表示装置の信頼性が低下するおそれが少ない。また、良好な視認性を実現することができるので、安全で、効率の高い運行が可能な移動体を提供することができる。
【００４２】
以上、本実施の形態について例示をした。しかし、本発明はこれらの記述に限定されるものではない。      
前述の実施の形態に関して、当業者が適宜設計変更を加えたものも、本発明の特徴を備えている限り、本発明の範囲に包含される。        
例えば、表示装置１０、表示装置２０、表示装置３０、表示装置４０などが備える各要素の形状、大きさ、材質、配置、数などは、例示したものに限定されるわけではなく適宜変更することができる。
【００４３】
また、前述した各実施の形態が備える各要素は、可能な限りにおいて組み合わせることができ、これらを組み合わせたものも本発明の特徴を含む限り本発明の範囲に包含される。
【図面の簡単な説明】
【００４４】
【図１】第１の実施形態に係る表示装置を例示するための模式図である。
【図２】表示装置の作用について例示をするための模式図である。
【図３】表示装置の作用について例示をするための模式図である。
【図４】表示装置の作用について例示をするための模式図である。
【図５】表示装置の作用について例示をするための模式図である。
【図６】表示装置の作用について例示をするための模式図である。
【図７】表示装置の作用について例示をするための模式図である。
【図８】第２の実施形態に係る表示装置を例示するための模式図である。
【図９】第３の実施形態に係る表示装置を例示するための模式図である。
【図１０】第４の実施形態に係る表示装置を例示するための模式図である。
【図１１】本実施の形態に係る移動体を例示するための模式図である。
【符号の説明】
【００４５】
１０  表示装置、２０  表示装置、３０  表示装置、４０  表示装置、１００  観視者、１０１  像、１０４  頭部、１０５  目、１１０  光束生成部、１１２  光束、１１２ａ  表示領域、１１３  投映部、１１４  領域制御部、１１４ａ  レンズ、１２０  光束制御部、１２０ａ  光束制御部、１２２  第１のミラー、１２４  第２のミラー、１２４ｂ  第２のミラー、１３０  画像検出部、１４０  表示領域制御部、１５０  撮像部、１６０  画像処理部、２１０  投映板、５１０  移動体
【図１】
2010072254.tif 000003
【図２】
2010072254.tif 000004
【図３】
2010072254.tif 000005
【図４】
2010072254.tif 000006
【図５】
2010072254.tif 000007
【図６】
2010072254.tif 000008
【図７】
2010072254.tif 000009
【図８】
2010072254.tif 000010
【図９】
2010072254.tif 000011
【図１０】
2010072254.tif 000012
【図１１】
2010072254.tif 000013